(57)【要約】【課題】利用者がベッドの組み立て時に、楽な姿勢で簡単にボトム固定ができることを特徴とするベッド装置のボトム固定構造を提供する。【解決手段】ベッド装置は、折りたたみ可能なボトム１２と、それを搬送時に折りたたんで開かないように止める搬送用止め部材１５とを備える。前記搬送用止め部材１５は、前記ボトム１２の端部に固定するボトム固定部３１と、前記ボトム固定部３１により前記ボトム１２に固定されたとき、ボトム１２に表面に立設して上端傾斜部３３をボトム１２側に傾けた止め部３２と、を備える。ボトム１２搬送時に前記搬送用止め部材１５を固定したボトム１２と、前記搬送用止め部材１５のボトム１２側に傾けた上端傾斜部３３との間に、折りたたんだボトム１２を収容して止める。【選択図】図３
2014223183.tif 000002
【特許請求の範囲】
【請求項１】
折りたたみ可能なボトムと、それを搬送時に折りたたんで開かないように止める搬送用止め部材とを備えたベッド装置であって、
前記搬送用止め部材は、
前記ボトムの端部に固定するボトム固定部と、
前記ボトム固定部により前記ボトムに固定されたとき、ボトムの表面に立設した止め部と、
を備え、
ボトム搬送時に前記搬送用止め部材を固定したボトムと、前記搬送用止め部材の上端部との間に、折りたたんだボトムを収容して止めることを特徴とするベッド装置。
【請求項２】
前記上端部は、前記折りたたんだボトムを止める構造を有することを特徴とする請求項１に記載のベッド装置。
【請求項３】
前記搬送用止め部材の止め部は、ボトム表面から前記上端部に至るまでが、前記折りたたんだボトムの厚み以上の長さを有することを特徴とする請求項２に記載のベッド装置。
【請求項４】
前記搬送用止め部材のボトム固定部は、ボトム端部に着脱自在に嵌合固定されることを特徴とする請求項１から３のいずれか一項に記載のベッド装置。
【請求項５】
前記搬送用止め部は、ベッド装置の使用時にはマットレス止めとなることを特徴とする請求項１から４のいずれか一項に記載のベッド装置。
【請求項６】
前記ボトムの裏面には、搬送時に使用する取っ手を設けたことを特徴とする請求項１から５のいずれか一項に記載のベッド装置。
【発明の詳細な説明】
【技術分野】
【０００１】
本発明は、ボトムの搬送を容易にすることができるベッド装置に関するものである。
【背景技術】
【０００２】
近年、在宅用介護ベッドが一般家庭でもレンタルなどで使用されるようになってきた。そこで、特許文献１に開示されているように、ベッドの各パーツを分解可能とし、搬送が容易となるように、各パーツの軽量化、コンパクト化が進められている。
【０００３】
例えば、特許文献１については、ボトムとフレームを簡単に分解、連結ができるものが開示されている。しかし、ボトム自体は、軽量化のため樹脂成形されたものが出てきており、背ボトムが単一部材、腰ボトム、膝ボトム、足ボトムがこれらで単一部材の場合がある。腰ボトム、膝ボトム、足ボトムの単一部材は長いため、各ボトム間で折りたたみが可能なので、２つ折りにしコンパクトにして搬送したりする。
【先行技術文献】
【特許文献】
【０００４】
【特許文献１】特開２００３−１２０６２５号公報
【発明の概要】
【発明が解決しようとする課題】
【０００５】
しかしながら、腰ボトム、膝ボトム、足ボトムの部材は長く、折りたたんで運ぶ場合は、搬送途中で開いてしまう場合もあり、開かないように押えながら運ぶことをしなければならない。そのため、結局は搬送に人数を要することにもなり、決して運びやすいとはいえない。
【０００６】
本発明は、斯かる実情に鑑み、利用者がベッドの搬送時に、長いボトムを搬送し易くできるベッド装置を提供することを目的とするものである。
【課題を解決するための手段】
【０００７】
本発明は、折りたたみ可能なボトムと、それを搬送時に折りたたんで開かないように止める搬送用止め部材とを備えたベッド装置であって、前記搬送用止め部材は、前記ボトムの端部に固定するボトム固定部と、前記ボトム固定部により前記ボトムに固定されたとき、ボトムに表面に立設した止め部と、を備え、ボトム搬送時に前記搬送用止め部材を固定したボトムと、前記搬送用止め部材の上端部との間に、折りたたんだボトムを収容して止めることを特徴とするものである。
【０００８】
また、本発明のベッド装置において、前記上端部は、前記折りたたんだボトムを止める構造を有することを特徴とする。
【０００９】
また、本発明のベッド装置において、前記搬送用止め部材の止め部は、前記折りたたんだボトム表面から前記上端部に至るまでが、ボトムの厚み以上の長さを有することを特徴とする。
【００１０】
また、本発明のベッド装置において、前記搬送用止め部材のボトム固定部は、ボトム端部に着脱自在に嵌合固定されることを特徴とする。
【００１１】
また、本発明のベッド装置において、前記搬送用止め部は、ベッド装置の使用時にはマットレス止めとなることを特徴とする。
【００１２】
また、本発明のベッド装置において、前記ボトムの裏面には、搬送時に使用する取っ手を設けたことを特徴とする。
【発明の効果】
【００１３】
本発明のベッド装置によれば、ボトムが閉じられ、ボトムに装着された搬送用止め部材により、ボトムが開かないように固定されるので、搬送が容易化される。
【図面の簡単な説明】
【００１４】
【図１】（ａ）は本発明の実施形態に係るボトムが載置されるベッド装置の概略斜視図、（ｂ）は該ボトムの斜視図である。
【図２】ボトムの全体平面図である。
【図３】（ａ）は搬送用止め部材の正面図、（ｂ）は搬送用止め部材の背面図、（ｃ）は搬送用止め部材の側面図である。
【図４】搬送時に折りたたむボトムを示す説明図である。
【図５】折りたたんだボトムを開かないように搬送用止め部材で止める説明図である。
【図６】（ａ）は搬送用止め部材の他の例の正面図、（ｂ）は搬送用止め部材の他の例の背面図、（ｃ）は搬送用止め部材の他の例の側面図である。
【図７】取っ手を備えたボトムを示す外観図である。
【発明を実施するための形態】
【００１５】
以下、本発明の実施形態について、添付図面を参照して説明する。
【００１６】
図１（ａ）は本発明に係るボトムが搭載されるベッド装置の全体斜視図、（ｂ）がボトムの斜視図である。
【００１７】
図１、図２に示すように、ベッド装置において、それに寝た状態の使用者の頭が向く頭側を符号「Ｈ」、該使用者の足が向く足側を符号「Ｆ」で示す。
【００１８】
図１（ａ）に示すように、ベッド装置は、主に、頭側及び足側に端部が向く長さ方向が幅方向よりも長い概略ラダー状構造の上部フレーム１０と、該上部フレーム１０上に載置されるボトム１２と、この上部フレーム１０の頭側及び足側の下部にそれぞれ設けられた、フロア面上に対して前記上部フレーム１０を昇降可能に支持する頭側昇降部１４Ｈ及び足側昇降部１４Ｆとを備えている。
【００１９】
上部フレーム１０の頭側及び足側の各部の下面側には、前記頭側昇降部１４Ｈ及び足側昇降部１４Ｆの上端部に当該上部フレーム１０を設置するための、前記ベッド装置の幅方向に長い概略矩形枠状の枠フレーム１６がそれぞれ固定されている。
【００２０】
図示しないが、昇降部１４Ｈ及び１４Ｆの下端同士は、連結フレームによって着脱可能に連結される。また、前記昇降部１４Ｈ及び１４Ｆにはそれぞれアクチュエータが設けられ、各アクチュエータの駆動力が別々に制御する構成であり、各アクチュエータの駆動制御によって上部フレーム１０が頭側及び足側同士の上下位置に差が付く傾動動作をさせることができる。
【００２１】
また、上部フレーム１０には、頭側に背上げ用のロッドと、中央部付近に膝上げ用のロッドが設けられている。またそれらを駆動するアクチュエータも設けられている。
【００２２】
図１、図２に示すように、ボトム１２は、マットレス（概略を図１に符号「１８」で示す）を載せた状態で、使用者の荷重を支えるものである。ボトム１２は、使用者が頭と背を支える背ボトム１２ａ、腰を支える腰ボトム１２ｂ、腰から膝までを支える膝ボトム１２ｃ、膝から先の足を支える足ボトム１２ｄの各板状部からなる。
【００２３】
図１に示すように、背ボトム１２ａと足ボトム１２ｄの側面２箇所ずつに搬送用止め部材（マットレス止め）１５を配している。この搬送用止め部材（マットレス止め）１５は、ボトム搬送時には折りたたんだボトム１２の止め具としての役割を負っているとともに、ベッド使用時にはマットの側方からマットを抑えてズレを防ぐ役割も負っている。そして、背ボトム１２ａと足ボトム１２ｄの側面部には搬送用止め部材（マットレス止め）１５を取付ける取付部１７が設けられている。
【００２４】
ここで、ボトム１２は、背ボトム１２ａ、腰ボトム１２ｂ、膝ボトム１２ｃ、足ボトム１２ｄのそれぞれが厚みのある樹脂製の板材からなり、各部の上面に凹所２０が凹んで形成されている。
【００２５】
図２に示すように、背ボトム１２ａは単一部材として形成されている。また、各部のうちの腰ボトム１２ｂ、膝ボトム１２ｃ、及び足ボトム１２ｄが所要部であり、それら同士が連結部２４によって連結されて、全体が単一部材にて構成されている。該連結部２４が前記所要部と同材質でかつ所要部よりも薄く一体に形成されたものであり、腰ボトム１２ｂと膝ボトム１２ｃの間、膝ボトム１２ｃと足ボトム１２ｄの間に配置されている。腰ボトム１２ｂ、膝ボトム１２ｃ、及び足ボトム１２ｄの単一部材は、上部フレーム１０に位置決め固定されている。例えば、腰ボトム１２ｂの裏面には、位置決め部材が設けてあり、それによって上部フレーム１０の位置決め部に載置することにより位置決めができる。
また、前記所要部の腰ボトム１２ｂには、頭側方向に、背ボトム１２ａに摺接して折り曲げ可能に連結する湾曲ボトム２８が延在している。
【００２６】
以下に、搬送用止め部材（マットレス止め）１５について、詳しく説明する。
【００２７】
図３は、搬送用止め部材（マットレス止め）１５の一例を示す外観図である。（ａ）は正面図、（ｂ）は背面図、（ｃ）は側面図である。
【００２８】
搬送用止め部材（マットレス止め）１５は、ボトム１２に固定するボトム固定部３１と、折りたたんだボトム１２を開かないように止めたり、あるいはボトム１２に載置されたマットレス１８をずれないように止めたりする止め部３２とからなる構成であり、これらが一体的に樹脂により成形されている。
【００２９】
ボトム固定部３１は、ボトム１２の上面に当接する当接部３６と、その当接部３６の先端に形成されてボトム表面端部の溝に嵌合する凸部３４と、ボトム裏面端部の凹部に係止する係止爪３５とからなる構成である。当接部３６と係止爪３５により、ボトム１２を挟持して、搬送用止め部材（マットレス止め）１５をボトム１２に着脱自在に固定する。
【００３０】
ボトム固定部３１により、ボトム１２に固定されると、止め部３２はボトム１２表面に立設することになる。このとき止め部３２の上端傾斜部３３は、ボトム１２側に傾斜している構造である。搬送用止め部材１５の止め部３２は、固定されたボトム１２表面から上端傾斜部３３に至るまでが、折りたたんだ膝ボトム１２ｃ（止める対象のボトム１２）の厚さ以上の長さを有する。こうして、折りたたんだ膝ボトム１２ｃを、足ボトム１２ｄに固定された搬送用止め部材１５に収容して、開かないようにできる。
【００３１】
図４は、搬送時に折りたたむボトムを示す説明図である。図５は、折りたたんだボトム１２を開かないように搬送用止め部材１５で止める説明図である。
【００３２】
ボトム１２の搬送時には、図４に示すように、ボトム１２（湾曲ボトム２８、腰ボトム１２ｂ、膝ボトム１２ｃ、足ボトム１２ｄの単一部材）を膝ボトム１２ｃと足ボトム１２ｄの間で二つに折りたたむ。足ボトム１２ｄの両側面には搬送用止め部材１５が装着されている。膝ボトム１２ｃと足ボトム１２ｄの間で二つに折りたたむと、ボトム１２上面から突出している搬送用止め部材１５の止め部３２の上端傾斜部３３に膝ボトム１２ｃの端部が当たる。そのまま押し込むと、図５に示すように、膝ボトム１２ｃが止め部３２内に収まり、上端傾斜部３３に裏面が当接して、開かないように押えられる。また、搬送用止め部材１５は着脱自在であるので、一旦ボトム１２から取り外して、折りたたんだ状態で、ボトム１２に取付けて開かないように固定してもよい。
【００３３】
こうして膝ボトム１２ｃと足ボトム１２ｄとが閉じられ、ボトム１２の両端に装着された搬送用止め部材１５により、ボトム１２が開かないように固定されるので、搬送が容易化され、一人でも運搬も可能となる。また、ベッドの使用時には、図１に示すように、搬送用止め部材１５はマットレス止めにもなり、止め部３２がマットレス１８の側面に当接し、マットレス１８のズレも防ぐことができる。
【００３４】
図６は、搬送用止め部材（マットレス止め）の他の例を示す外観図である。（ａ）は正面図、（ｂ）は背面図、（ｃ）は側面図である。
【００３５】
図６の搬送用止め部材（マットレス止め）１５ａは、ボトム固定部３１と、止め部３２ａとからなる構成である。図６の搬送用止め部材（マットレス止め）１５ａは、ボトム固定部３１は図３の実施例と同じであるが、止め部３２ａは異なる構造である。以下に止め部３２ａについて説明する。
【００３６】
止め部３２ａは、ボトム固定部３１によりボトム１２に固定されると、傾斜せずにボトム１２表面に立設する。止め部３２ａのボトム１２側に向いた面の上端部には、突起３７が形成されている。この突起３７により、マットレス１８を押える機能を果たす。また、固定されたボトム表面から上端部の突起３７に至るまでが、折りたたんだ膝ボトム１２ｃ（止める対象のボトム１２）の厚さ以上の長さを有する。こうして、搬送用止め部材（マットレス止め）１５ａは、折りたたんだ膝ボトム１２ｃを、足ボトム１２ｄに固定された搬送用止め部材１５ａに収容して、開かないよう止めることができ、図３の搬送用止め部材（マットレス止め）１５と同じ効果を奏する。
【００３７】
なお、搬送用止め部材（マットレス止め）の上端部のボトムを止める構造は、上記図３や図６の例に限定されるものではない。
【００３８】
図７に示すように、ボトム１２の裏面に、持ち運びに手を添える取っ手３８を取付ける。このようにすると、ボトム１２を脇に抱えて取っ手３８をつかむと、搬送が更に楽に行えるという利点がある。
【産業上の利用可能性】
【００３９】
本発明のベッド装置のボトムは、在宅介護用ベッド装置、施設介護用ベッド装置、病院用ベッド装置等各種ベッド装置のボトムに利用することができる。
【符号の説明】
【００４０】
１０  上部フレーム
１１  貫通孔
１２  ボトム
１２ａ  背ボトム
１２ｂ  腰ボトム
１２ｃ  膝ボトム
１２ｄ  足ボトム
１５  搬送用止め部材（マットレス止め）
１７  取付部
３１  ボトム固定部
３２  止め部
３３  上端傾斜部
３４  凸部
３５  係止爪
３６  当接部
３７  突起
３８  取っ手
【図１】
2014223183.tif 000003
【図２】
2014223183.tif 000004
【図３】
2014223183.tif 000005
【図４】
2014223183.tif 000006
【図５】
2014223183.tif 000007
【図６】
2014223183.tif 000008
【図７】
2014223183.tif 000009